(57)【要約】【課題】空調空気を室内全域に満遍なく行き渡らせることができる送風ユニットを提供する。【解決手段】送風ユニット１４Ａでは、空気流路２７が仕切板２８，２９によって第１〜第３流路３０，３１，３２に区分され、第１〜第３流路３０，３１，３２における空調空気の入口部３３の面積が第３流路３２から第１流路３０に向かって順に大きくなり、第１〜第３流路３０，３１，３２に流入する空調空気の流量が第３流路３２から第１流路３０に向かって順に大きくなっている。【選択図】図３
2007255763.tif 000002
【特許請求の範囲】
【請求項１】
空気流入口と、室内に面して該室内の上方に配置された空気吹出口と、前記流入口から前記吹出口に向かって延びる空気流路とを備え、空調空気や清浄空気を前記吹出口から前記室内に放出する送風ユニットにおいて、
前記送風ユニットが、前記空気の風速を前記吹出口の下方から上方に向かって次第に速くする風速調節機構を有することを特徴とする送風ユニット。
【請求項２】
前記風速調節機構が、前記空気流路に配置された仕切板から形成され、前記送風ユニットでは、前記仕切板によって前記空気流路がその上方から下方に向かって並ぶ第１〜第ｎ流路に区分され、前記第１〜第ｎ流路における前記空気の入口部の面積が前記第ｎ流路から前記第１流路に向かって順に大きくなり、前記第１〜第ｎ流路に流入する前記空気の流量が前記第ｎ流路から前記第１流路に向かって順に大きくなっている請求項１記載の送風ユニット。
【請求項３】
前記風速調節機構が、前記空気流路に配置された仕切板と、ダンパとから形成され、前記送風ユニットでは、前記仕切板によって前記空気流路がその上方から下方に向かって並ぶ第１〜第ｎ流路に区分され、前記ダンパが前記第１〜第ｎ流路に設置され、前記第１〜第ｎ流路を通過する前記空気の流量が前記第ｎ流路から前記第１流路に向かって順に大きくなるように、前記ダンパの羽根の開度が調節されている請求項１記載の送風ユニット。
【請求項４】
前記風速調節機構が、前記空気流路に配置された仕切板と、複数の空気流通孔を有して前記空気の通過流量を調節可能な複数の調節プレートとから形成され、前記送風ユニットでは、前記仕切板によって前記空気流路がその上方から下方に向かって並ぶ第１〜第ｎ流路に区分され、それら調節プレートが前記第１〜第ｎ流路に個別に設置され、前記第ｎ流路に設置された前記調節プレートの空気流通孔の開口面積がもっとも小さく、前記第１流路に設置された前記調節プレートの空気流通孔の開口面積がもっとも大きくなるように、それら調節プレートに形成された空気流通孔の開口面積が第ｎ流路から第１流路に向かって順に大きくなっている請求項１記載の送風ユニット。
【請求項５】
前記風速調節機構が、複数の空気流通孔を有して前記空気の通過流量を調節可能な調節プレートから形成され、前記送風ユニットでは、前記調節プレートが前記空気流路における前記吹出口近傍に設置され、前記調節プレートに形成された空気流通孔の開口面積が前記吹出口の下方から上方に向かって次第に大きくなっている請求項１記載の送風ユニット。
【請求項６】
前記空気流路には、エアフィルタと熱交換器と送風機とのうちの少なくとも１つが設置されている請求項１ないし請求項５いずれかに記載の送風ユニット。
【発明の詳細な説明】
【技術分野】
【０００１】
本発明は、空調空気や清浄空気を室内に送風する送風ユニットに関する。
【背景技術】
【０００２】
室内の冷暖房や除湿、加湿、空気清浄を行う空調装置の一例として、空調機が収容された機器収容ボックスと、ボックスの頂部に設置された送風ユニットとから形成された直吹床置き型空調装置がある。直吹床置き型空調装置では、空調機から供給された空調空気や清浄空気が送風ユニットの吹出口から室内に向かって略水平に放出される。室内の空気は、空調装置の下部に形成された吸入口から装置内に流入し、空調機によって空調空気となって送風ユニットから再び室内に放出される。このような直吹床置き型空調装置では、送風ユニットの吹出口から放出された空調空気や清浄空気が室内に設置された製造設備や事務設備にぶつかり、空気の室内における流動がそれら設備によって阻止される。ゆえに、空気を室内全域に満遍なく行き渡らせることができず、室内の任意の箇所に空気のよどみが発生する場合がある。
【０００３】
空調空気や清浄空気を室内全域に満遍なく行き渡らせる空調装置として、室の天井に設置された吹出口および床面近傍に位置する吸入口と、ダクトを介して吹出口と吸入口とにつながる空調機とから形成された垂直流型空調システムがある（特許文献１参照）。空調機から供給される空調空気や清浄空気は、吹出口から床に向かって放出される。室内を下降する空気は、床面近傍に位置する吸入口から吸引されて再び空調機へ流入する。この垂直流型空調システムは、空調空気や清浄空気が天井から床に向かって放出されるから、空気の室内における流動が製造設備や事務設備によって阻止されることはない。
【特許文献１】特開平４−６２３４５号公報
【発明の開示】
【発明が解決しようとする課題】
【０００４】
しかし、前記垂直流型空調システムは、天井内ダクト工事や天井仕上げ工事、保温工事等が必要であり、設置コストが高く、装置を廉価に設置することができない。また、垂直流型空調システムは、その設置に多数の工事を必要とするから、設置工期の短縮が困難である。さらに、吹出口と吸入口とを簡単に移設することができず、室内のレイアウトの変更に応じて吹出口の配置を容易に変えることができないから、室内のレイアウト変更の自由度が少ない。
【０００５】
本発明の目的は、空調空気や清浄空気を室内全域に満遍なく行き渡らせることができる送風ユニットを提供することにある。本発明の他の目的は、装置を廉価かつ短期間に設置することができ、室内のレイアウトの変更に応じて配置を容易に変えることができる送風ユニットを提供することにある。
【課題を解決するための手段】
【０００６】
前記課題を解決するための本発明の前提は、空気流入口と、室内に面して該室内の上方に配置された空気吹出口と、流入口から吹出口に向かって延びる空気流路とを備え、空調空気や清浄空気を吹出口から室内に放出する送風ユニットである。
【０００７】
前記前提における本発明の特徴としては、送風ユニットが空調空気や清浄空気の風速を吹出口の下方から上方に向かって次第に速くする風速調節機構を有することにある。
【０００８】
本発明の一例としては、風速調節機構が空気流路に配置された仕切板から形成されている。この送風ユニットでは、仕切板によって空気流路がその上方から下方に向かって並ぶ第１〜第ｎ流路に区分され、第１〜第ｎ流路における空調空気や清浄空気の入口部の面積が第ｎ流路から第１流路に向かって順に大きくなり、第１〜第ｎ流路に流入する空調空気や清浄空気の流量が第ｎ流路から第１流路に向かって順に大きくなっている。
【０００９】
本発明の他の一例としては、風速調節機構が、空気流路に配置された仕切板と、ダンパとから形成されている。この送風ユニットでは、仕切板によって空気流路がその上方から下方に向かって並ぶ第１〜第ｎ流路に区分され、ダンパが第１〜第ｎ流路に設置され、第１〜第ｎ流路を通過する空調空気や清浄空気の流量が第ｎ流路から第１流路に向かって順に大きくなるようにダンパの羽根の開度が調節されている。
【００１０】
本発明の他の一例としては、風速調節機構が、空気流路に配置された仕切板と、複数の空気流通孔を有して空調空気や清浄空気の通過流量を調節可能な複数の調節プレートとから形成されている。この送風ユニットでは、仕切板によって空気流路がその上方から下方に向かって並ぶ第１〜第ｎ流路に区分され、それら調節プレートが第１〜第ｎ流路に個別に設置され、第ｎ流路に設置された調節プレートの空気流通孔の開口面積がもっとも小さく、第１流路に設置された調節プレートの空気流通孔の開口面積がもっとも大きくなるように、それら調節プレートに形成された空気流通孔の開口面積が第ｎ流路から第１流路に向かって順に大きくなっている。
【００１１】
本発明の他の一例としては、風速調節機構が複数の空気流通孔を有して空調空気や清浄空気の通過流量を調節可能な調節プレートから形成されている。この送風ユニットでは、調節プレートが空気流路における吹出口近傍に設置され、調節プレートに形成された空気流通孔の開口面積が吹出口の下方から上方に向かって次第に大きくなっている。
【００１２】
本発明の他の一例として、空気流路には、エアフィルタと熱交換器と送風機とのうちの少なくとも１つが設置されている。
【発明の効果】
【００１３】
本発明にかかる送風ユニットによれば、空調空気や清浄空気の風速を吹出口の下方から上方に向かって次第に速くする風速調節機構を有するから、吹出口の上方から風速のもっとも速い空気を放出することで室内の遠方に空気を送ることができ、吹出口の下方から風速のもっとも遅い空気を放出することでユニットの近辺における室内に空気を送ることができるとともに、吹出口の上下方向中央から中間程度の風速の空気を放出することで室内の遠方とユニットの近辺との間の室内の中間位置に空気を送ることができる。送風ユニットは、風速のもっとも速い空調空気や清浄空気が高さ寸法の高い製造設備や事務設備の上方を越えて設備の裏側に達し、中間程度の風速の空調空気や清浄空気が高さ寸法の低い製造設備や事務設備の上方を越えて設備の裏側に達するから、それら設備によって室内における空気の流動が阻止されることはなく、空気を室内全域に満遍なく行き渡らせることができ、室内における空気のよどみの発生を防ぐことができる。この送風ユニットは、それの設置に天井内ダクト工事や天井仕上げ工事、保温工事等を行う必要がなく、ユニットを廉価に設置することができ、さらに、それを自由に移設することができるから、室内のレイアウト変更に応じて配置を容易に変えることができる。
【００１４】
空気流路に設置された仕切板が風速調節機構を形成し、仕切板によって区分された第１〜第ｎ流路における空調空気や清浄空気の取入部の面積が第ｎ流路から第１流路に向かって順に大きくなる送風ユニットは、第１〜第ｎ流路に流入する空調空気や清浄空気の流量が第ｎ流路から第１流路に向かって順に大きくなるから、吹出口の上方から風速の最も速い空気が室内に放出され、吹出口の下方から風速のもっとも遅い空気が室内に放出されるとともに、吹出口の上下方向中央から中間程度の風速の空気が室内に放出される。送風ユニットは、吹出口の上方から室内の遠方に空気を送ることができ、吹出口の下方からユニットの近辺における室内に空気を送ることができるとともに、吹出口の上下方向中央から室内の遠方とユニットの近辺との間の室内の中間位置に空気を送ることができる。この送風ユニットは、風速のもっとも速い空調空気や清浄空気が高さ寸法の高い製造設備や事務設備の上方を越えて設備の裏側に達し、中間程度の風速の空調空気や清浄空気が高さ寸法の低い製造設備や事務設備の上方を越えて設備の裏側に達するから、それら設備によって室内における空気の流動が阻止されることはなく、空気を室内全域に満遍なく行き渡らせることができ、室内における空気のよどみの発生を防ぐことができる。
【００１５】
空気流路に設置された仕切板とダンパとから風速調節機構が形成され、第１〜第ｎ流路を通過する空調空気や清浄空気の流量が第ｎ流路から第１流路に向かって順に大きくなるようにダンパの羽根の開度が調節されている送風ユニットは、吹出口の上方から風速の最も速い空気が室内に放出され、吹出口の下方から風速のもっとも遅い空気が室内に放出されるとともに、吹出口の上下方向中央から中間程度の風速の空気が室内に放出される。送風ユニットは、吹出口の上方から室内の遠方に空気を送ることができ、吹出口の下方からユニットの近辺における室内に空気を送ることができるとともに、吹出口の上下方向中央から室内の遠方とユニットの近辺との間の室内の中間位置に空気を送ることができる。この送風ユニットは、風速のもっとも速い空調空気や清浄空気が高さ寸法の高い製造設備や事務設備の上方を越えて設備の裏側に達し、中間程度の風速の空調空気や清浄空気が高さ寸法の低い製造設備や事務設備の上方を越えて設備の裏側に達するから、それら設備によって室内における空気の流動が阻止されることはなく、空気を室内全域に満遍なく行き渡らせることができ、室内における空気のよどみの発生を防ぐことができる。
【００１６】
空気流路に設置された仕切板と複数の調節プレートとから風速調節機構が形成され、それら調節プレートに形成された空気流通孔の開口面積が第ｎ流路から第１流路に向かって順に大きくなっている送風ユニットは、第１〜第ｎ流路における空気抵抗が第ｎ流路から第１流路に向かって順に小さくなるから、吹出口の上方から風速の最も速い空調空気や清浄空気が室内に放出され、吹出口の下方から風速のもっとも遅い空調空気や清浄空気が室内に放出されるとともに、吹出口の上下方向中央から中間程度の風速の空調空気や清浄空気が室内に放出される。送風ユニットは、吹出口の上方から室内の遠方に空気を送ることができ、吹出口の下方からユニットの近辺における室内に空気を送ることができるとともに、吹出口の上下方向中央から室内の遠方とユニットの近辺との間の室内の中間位置に空気を送ることができる。この送風ユニットは、風速のもっとも速い空調空気や清浄空気が高さ寸法の高い製造設備や事務設備の上方を越えて設備の裏側に達し、中間程度の風速の空調空気や清浄空気が高さ寸法の低い製造設備や事務設備の上方を越えて設備の裏側に達するから、それら設備によって室内における空気の流動が阻止されることはなく、空気を室内全域に満遍なく行き渡らせることができ、室内における空気のよどみの発生を防ぐことができる。
【００１７】
空気流路における吹出口近傍に設置された調節プレートが風速調節機構を形成し、調節プレートに形成された空気流通孔の開口面積が吹出口の下方から上方に向かって次第に大きくなっている送風ユニットは、第１〜第ｎ流路における空気抵抗が第ｎ流路から第１流路に向かって次第に小さくなるから、吹出口の上方から風速の最も速い空調空気や清浄空気が室内に放出され、吹出口の下方から風速のもっとも遅い空調空気や清浄空気が室内に放出されるとともに、吹出口の上下方向中央から中間程度の風速の空調空気や清浄空気が室内に放出される。送風ユニットは、吹出口の上方から室内の遠方に空気を送ることができ、吹出口の下方からユニットの近辺における室内に空気を送ることができるとともに、吹出口の上下方向中央から室内の遠方とユニットの近辺との間の室内の中間位置に空気を送ることができる。この送風ユニットは、風速のもっとも速い空調空気や清浄空気が高さ寸法の高い製造設備や事務設備の上方を越えて設備の裏側に達し、中間程度の風速の空調空気や清浄空気が高さ寸法の低い製造設備や事務設備の上方を越えて設備の裏側に達するから、それら設備によって室内における空気の流動が阻止されることはなく、空気を室内全域に満遍なく行き渡らせることができ、室内における空気のよどみの発生を防ぐことができる。
【００１８】
空気流路にエアフィルタと熱交換器と送風機とのうちの少なくとも１つが設置された送風ユニットは、それの他に空調機や空気清浄機、送風機を別途設置することなく、ユニットにおいて温風や冷風を作ることができ、空気清浄を行うことができるとともに、送風を行うことができる。送風ユニットは、吹出口の上方から風速の最も速い空調空気や清浄空気が室内に放出され、吹出口の下方から風速のもっとも遅い空調空気や清浄空気が室内に放出されるとともに、吹出口の上下方向中央から中間程度の風速の空調空気や清浄空気が室内に放出される。この送風ユニットは、風速のもっとも速い空調空気や清浄空気が高さ寸法の高い製造設備や事務設備の上方を越えて設備の裏側に達し、中間程度の風速の空調空気や清浄空気が高さ寸法の低い製造設備や事務設備の上方を越えて設備の裏側に達するから、それら設備によって室内における空気の流動が阻止されることはなく、空気を室内全域に満遍なく行き渡らせることができ、室内における空気のよどみの発生を防ぐことができる。
【発明を実施するための最良の形態】
【００１９】
添付の図面を参照し、本発明に係る送風ユニットの詳細を説明すると、以下のとおりである。図１，２は、一例として示す送風ユニット１４Ａが設置された直吹床置き型空調装置１０の正面図と、空調装置１０が配置された室１１の側面図とである。図３，４は、送風ユニット１４Ａの内部構造を示すユニット１４Ａの側面図と、空調装置１０が配置された室１１の上面図とである。図１〜３では、上下方向を矢印Ａ、横方向を矢印Ｂ（図１のみ）で示し、前後方向を矢印Ｃ（図２，３のみ）で示す。図３では、空調空気や清浄空気の流れを矢印で示している。図４では、空気がユニット１４Ａから室１１に連続的に供給されており、室１１の温度分布が等温線Ｘによって模式的に示されている。
【００２０】
この直吹床置き型空調装置１０は、室１１の冷房や暖房、除湿、加湿、空気清浄に使用される。この空調装置１０を使用する室１１について、特に限定はなく、事務室や機械室、工場、クリーンルーム等のあらゆる室に使用することができる。空調装置１０は、空調機（図示せず）を収容した機器収容ボックス１２と、機器収容ボックス１２の頂部１３に設置された送風ユニット１４Ａとから形成されている。機器収容ボックス１２と送風ユニット１４Ａとは、ダクト１５を介して連結されている。空調装置１０は、図２に示すように、２台のそれらが一方の壁１６と他方の壁１７とに沿って設置されている。それら空調装置１０は、前後方向において互いに対向するように、床に置かれている。なお、空調装置１０の台数について、特に限定はなく、室１１の容積や室１１の種類によって台数を適宜決定することができる。室１１における空調装置１０の間には、２つの製造設備１９または事務設備１９が設置されている。それら設備１９は、上下方向へ長い直方体であり、一方のそれの高さ寸法が他方のそれの高さ寸法よりも大きい。
【００２１】
空調機を形成する各機器の一例としては、図示はしていないが、圧縮機、凝縮器、膨張弁、蒸発器、電気ヒータ、除湿器、加湿器、加熱冷却コイル（熱交換器）、送風機、エアフィルタ、送風機用電動機、制御装置等がある。機器収容ボックス１２は、上下方向へ長い直方体であり、その前面２０が室内２１の中央に向かい、その後面２２が壁１６，１７に向かっている。ボックス１２の前面２０の下部には、室内２１の中央に面して室内２１の空気を吸引する吸入口２３が形成されている。
【００２２】
送風ユニット１４Ａは、横方向へ長い直方体であり、室１１の上部（天井２４の近傍）に位置している。送風ユニット１４Ａは、空調機からの空調空気や清浄空気（以下、単に空気という）が流入する流入口２５と、空気を室内２１に放出する吹出口２６と、流入口２５と吹出口２６との間に延びる空気流路２７とを有する。流入口２５は、壁１６，１７の側に位置してダクト１５につながっている。吹出口２６は、室内２１に面している。空気流路２７には、上下方向へ並ぶ２枚の第１および第２仕切板２８，２９（風速調節機構）が設置されている。それら仕切板２８，２９は、流入口２５から吹出口２６に向かって前後方向へ延びている。それら仕切板２８，２９は流入口２５から吹出口２６に向かって上り勾配を有し、第１仕切板２８の傾斜角度が第２仕切板２９のそれよりも大きい。空気流路２７は、仕切板２８，２９によって上下方向に並ぶ第１流路３０から第３流路３２（第ｎ流路）に区分されている。第１流路３０は空気流路２７の上方に形成され、第２流路３２は空気流路２７の中央（仕切板２８，２９の間）に形成され、第３流路３２は空気流路２７の下方に形成されている。
【００２３】
第１〜第３流路３０，３１，３２における空気の入口部３３の面積は、第３流路３２から第１流路３０に向かって順に大きくなっている。すなわち、第１流路３０の入口部３３の面積がもっとも大きく、第３流路３２の入口部３３の面積がもっとも小さく、第２流路３２の入口部３３の面積が第１および第３流路３０，３２のそれらの中間の大きさである。ゆえに、第１〜第３流路３０，３１，３２に流入する空気の流量が第３流路３２から第１流路３０に向かって順に大きくなっている。なお、第１〜第３流路３０，３１，３２における空気の出口部３４の面積は同一である。空調機から送風された空気は、ダクト１５を通って送風ユニット１４Ａの流入口２５に流入し、第１流路３０と第２流路３１と第３流路３２とに分流する。ユニット１４Ａでは、第１流路３０の入口部３３の面積がもっとも大きいから、第１流路３０に流入する空気の流量がもっとも多く、第３流路３２の入口部３３の面積がもっとも小さいから、第３流路３２に流入する空気の流量がもっとも少ない。第２流路３２に流入する空気の流量は、第１流路３０に流入する空気のそれよりも少なく、第３流路３２に流入する空気のそれよりも多い。
【００２４】
この送風ユニット１４Ａでは、第１流路３０に流入する空気の流量がそれら流路３０，３１，３２の中でもっとも多いにもかかわらず、第１〜第３流路３０，３１，３２における空気の出口部３４の面積が同一であるから、それら流路３０，３１，３２から室内２１に放出される空気の風速は第１流路３０のそれが最も速く、第３流路３２のそれがもっとも遅くなり、第２流路３１のそれが第１および第３流路３０，３２のそれらの中間の速さとなる。ここで、第３流路３２から室内２１に放出される空気の風速を１とすると、第２流路３１から室内２１に放出される空気の風速が第３流路３２から室内２１に放出される空気のそれの２〜３倍、第１流路３０から室内２１に放出される空気の風速が第３流路３２から室内２１に放出される空気のそれの３〜５倍であることが好ましい。なお、第３流路３２から室内２１に放出される空気の風速は、０．５ｍ／ｓｅｃ〜２．０ｍ／ｓｅｃが好ましく、より好ましくは、０．９ｍ／ｓｅｃ〜１．１ｍ／ｓｅｃである。
【００２５】
この送風ユニット１４Ａは、第１〜第３流路３０，３１，３２に流入する空気の流量が第３流路３２から第１流路３０に向かって順に大きくなるから、吹出口２６の上方から風速の最も速い空気が室内２１に放出され、吹出口２６の下方から風速のもっとも遅い空気が室内２１に放出されるとともに、吹出口２６の上下方向中央から中間程度の風速の空気が室内２１に放出される。この送風ユニット１４Ａは、吹出口２６の上方から室内２１の遠方に空気を送ることができ、吹出口２６の下方からユニット１４Ａの近辺における室内２１に空気を送ることができるとともに、吹出口２６の上下方向中央から室内２１の遠方とユニット１４Ａの近辺との間の室内２１中央に空気を送ることができる。
【００２６】
送風ユニット１４Ａは、図２に示すように、風速のもっとも速い空気が高さ寸法の高い製造設備１９や事務設備の上方を越えて設備１９の裏側に達し（図２の矢印Ｌ１）、中間程度の風速の空気が高さ寸法の低い製造設備１９や事務設備１９の上方を越えて設備１９の裏側に達するから（図２の矢印Ｌ２）、それら設備１９によって室内２１における空気の流動が阻止されることはない。送風ユニット１４Ａは、空気を室内２１全域に満遍なく行き渡らせることができ、室内２１における空気のよどみの発生を防ぐことができる。送風ユニット１４Ａは、それを使用することで、図４に示すように、温度分布のムラのない快適な空調を構築することができる。この送風ユニット１４Ａは、それの設置に天井内ダクト工事や天井仕上げ工事、保温工事等を行う必要がなく、ユニット１４Ａを廉価に設置することができ、さらに、それを自由に移設することができるから、室内２１のレイアウト変更に応じて配置を容易に変えることができる。
【００２７】
図５は、他の一例の送風ユニット１４Ｂの内部構造を示すユニット１４Ｂの側面図である。図５では、上下方向を矢印Ａで示し、前後方向を矢印Ｃで示す。空調装置１０の機器収容ボックス１２や空調機を形成する各機器は図１のそれらと同一であり、室１１における設備１９の配置は図２，４のそれと同一であるから、図１，２，４を援用することで、それらの説明は省略する。以下、この送風ユニット１４Ｂが図３のユニット１４Ａと異なる点のみを説明する。
【００２８】
送風ユニット１４Ｂの空気流路２７には、上下方向へ並ぶ２枚の第１および第２仕切板２８，２９（風速調節機構）と、３つのモータダンパ３５，３６，３７（風速調節機構）とが設置されている。それら仕切板２８，２９は、流入口２５から吹出口２６に向かって前後方向へ水平に延びている。空気流路２７は、仕切板２８，２９によって上下方向に並ぶ第１流路〜第３流路３０，３１，３２（第ｎ流路）に区分されている。第１流路３０は空気流路２７の上方に形成され、第２流路３１は空気流路２７の中央に形成され、第３流路３２は空気流路２７の下方に形成されている。第１〜第３流路３０，３１，３２における空気の入口部３３の面積および出口部３４の面積は同一である。ダンパ３５は第１流路３０の略中央に位置し、ダンパ３６は第２流路３１の略中央に位置し、ダンパ３７は第３流路３２の略中央に位置している。
【００２９】
それらダンパ３５，３６，３７は、モジュトロールモータ３８と、モータ３８の駆動力を介して旋回する旋回羽根３９とから形成されている。ダンパ３５，３６，３７は、図示はしていないが、コントローラに接続され、コントローラからの制御信号によってモータ３８が回転するとともに旋回羽根３９が所定角度に旋回する。羽根３９の開度を調整することで、第１〜第３流路３０，３１，３２を通過する空気の流量を調節することができる。すべてのダンパ３５，３６，３７の羽根３９が流路３０，３１，３２に対して水平の場合、それら流路３０，３１，３２を通過する空気の流量は同一である。なお、モータダンパ３５，３６，３７には、平行翼ダンパまたは対向翼ダンパを使用することができる。
【００３０】
この送風ユニット１４Ｂでは、第１〜第３流路３０，３１，３２を通過する空気の流量が第３流路３２から第１流路３０に向かって順に大きくなるようにモータダンパ３５，３６，３７の羽根３９の開度が調節されている。空調機から送風された空気は、ダクト１５を通って送風ユニット１４Ｂの流入口２５に流入し、第１流路３０と第２流路３１と第３流路３２とに分流する。それらダンパ３５，３６，３７の羽根の旋回角度は、ダンパ３７の羽根３９のそれがもっとも大きく、ダンパ３５の羽根３９のそれがもっとも小さく、ダンパ３６の羽根３９のそれがダンパ３５とダンパ３７との羽根３９のそれの中間である。ゆえに、ダンパ３５の羽根３９によって規制される第１流路３０の開口面積がもっとも大きく、第１流路３０における空気の流量がもっとも多い。ダンパ３７の羽根３９によって規制される第３流路３２の開口面積がもっとも小さく、第３流路３２における空気の流量がもっとも少ない。第２流路３１における空気の流量は、第１流路３０における空気のそれよりも少なく、第３流路３２における空気のそれよりも多い。
【００３１】
このユニット１４Ｂでは、第１流路３０を通過する空気の流量がもっとも多いにもかかわらず、第１〜第３流路３０，３１，３２における空気の出口部３４の面積が同一であるから、それら流路３０，３１，３２から室内２１に放出される空気の風速は第１流路３０のそれがもっとも速く、第３流路３２のそれがもっとも遅くなり、第２流路３１のそれが第１および第３流路３０，３２のそれらの中間の速さとなる。第３流路３２における空気の風速を１とすると、第２流路３１における空気の風速が第３流路３２における空気のそれの２〜３倍、第１流路３０における空気の風速が第３流路３２における空気のそれの３〜５倍であることが好ましい。なお、第３流路３２における空気の風速の好ましい範囲は、図３の送風ユニット１４Ａのそれと同一である。
【００３２】
この送風ユニット１４Ｂは、第１〜第３流路３０，３１，３２を通過する空気の流量が第３流路３２から第１流路３０に向かって順に大きくなるから、吹出口２６の上方から風速の最も速い空気が室内２１に放出され、吹出口２６の下方から風速のもっとも遅い空気が室内２１に放出されるとともに、吹出口２６の上下方向中央から中間程度の風速の空気が室内２１に放出される。この送風ユニット１４Ｂは、吹出口２６の上方から室内２１の遠方に空気を送ることができ、吹出口２６の下方からユニット１４Ｂの近辺における室内２１に空気を送ることができるとともに、吹出口２６の上下方向中央から室内２１の遠方とユニット１４Ｂの近辺との間の室内２１中央に空気を送ることができる。
【００３３】
送風ユニット１４Ｂは、図２に示すように、風速のもっとも速い空気が高さ寸法の高い製造設備１９や事務設備１９の上方を越えて設備１９の裏側に達し（図２の矢印Ｌ１）、中間程度の風速の空気が高さ寸法の低い製造設備１９や事務設備１９の上方を越えて設備１９の裏側に達するから（図２の矢印Ｌ２）、それら設備１９によって室内２１における空気の流動が阻止されることはない。送風ユニット１４Ｂは、空気を室内２１全域に満遍なく行き渡らせることができ、室内２１における空気のよどみの発生を防ぐことができる。送風ユニット１４Ｂは、それを使用することで、図４に示すように、温度分布のムラのない快適な空調を構築することができる。この送風ユニット１４Ｂは、それの設置に天井内ダクト工事や天井仕上げ工事、保温工事等を行う必要がなく、ユニット１４Ｂを廉価に設置することができ、さらに、それを自由に移設することができるから、室内２１のレイアウト変更に応じて配置を容易に変えることができる。
【００３４】
図６は、送風ユニット１４Ｃの内部構造の他の一例を示すユニット１４Ｃの斜視図である。図６では、ダクト１５の図示を省略し、上下方向を矢印Ａ、横方向を矢印Ｂ示し、前後方向を矢印Ｃで示す。空調装置１０の機器収容ボックス１２や空調機を形成する各機器は図１のそれらと同一であり、室２１における設備１９の配置は図２，４のそれと同一であるから、図１，２，４を援用することで、それらの説明は省略する。以下、この送風ユニット１４Ｃが図３のユニット１４Ａと異なる点のみを説明する。
【００３５】
送風ユニット１４Ｃの空気流路２７には、上下方向へ並ぶ２枚の第１および第２仕切板２８，２９（風速調節機構）と、３つの調節プレート４０，４１，４２（風速調節機構）とが設置されている。それら仕切板２８，２９は、流入口２５から吹出口２６に向かって前後方向へ水平に延びている。空気流路２７は、仕切板２８，２９によって上下方向に並ぶ第１流路〜第３流路３０，３１，３２（第ｎ流路）に区分されている。第１流路３０は空気流路２７の上方に形成され、第２流路３１は空気流路２７の中央に形成され、第３流路３２は空気流路２７の下方に形成されている。第１〜第３流路３０，３１，３２における空気の入口部３３の面積および出口部３４の面積は同一であり、空気流路３０，３１，３２を通ってプレート４０，４１，４２に達する空気の流量は同一である。調節プレート４０，４１，４２は、流入口２５の側に配置されて流路２７に個別に固定されている。それら調節プレート４０，４１，４２には、それを通過する空調空気の流量を調節するための複数の空気流通孔４３，４４，４５が形成されている。
【００３６】
空気流通孔４３，４４，４５の開口面積は、第３流路３２に設置されたそれから第１流路３０に設置されたそれに向かって順に大きくなっている。すなわち、第１流路３０に配置された調節プレート３９の空気流通孔４３の開口面積がもっとも大きく、第３流路３２に配置された調節プレート４１のそれがもっとも小さく、第２流路３１に配置された調節プレート４０のそれが第１および第３流路３０，３２のそれらの中間の大きさである。ゆえに、第３流路３２に配置された調節プレート４２の空気抵抗がもっとも大きく、第１流路３０に配置された調節プレート４０の空気抵抗がもっとも小さい。第２流路３１に配置された調節プレート４１の空気抵抗は、第１流路３０に配置された調節プレート４０のそれよりも大きく、第３流路３２に配置された調節プレート４２のそれよりも小さい。
【００３７】
空調機から送風された空気は、ダクト１５を通って送風ユニット１４Ｃの流入口２５に流入し、第１流路３０と第２流路３１と第３流路３２とに分流する。このユニット１４Ｃでは、第１流路３０に設置された調節プレート４０の空気抵抗が小さいから、それら流路３０，３１，３２を通る空調空気の風速は第１流路３０のそれがもっとも速く、第３流路３２のそれがもっとも遅くなり、第２流路３１のそれが第１および第３流路３０，３２のそれらの中間の速さとなる。第３流路３２における空気の風速を１とすると、第２流路３１における空気の風速が第３流路３２における空気のそれの２〜３倍、第１流路３０における空気の風速が第３流路３２における空気のそれの３〜５倍であることが好ましい。なお、第３流路３２における空気の風速の好ましい範囲は、図１の送風ユニット１４Ａのそれと同一である。
【００３８】
この送風ユニット１４Ｃは、第１〜第３流路３０，３１，３２を通過する空気の風速が第３流路３２から第１流路３０に向かって順に大きくなるから、吹出口２６の上方から風速の最も速い空気が室内２１に放出され、吹出口２６の下方から風速のもっとも遅い空気が室内２１に放出されるとともに、吹出口２６の上下方向中央から中間程度の風速の空気が室内２１に放出される。この送風ユニット１４Ｃは、吹出口２６の上方から室内２１の遠方に空気を送ることができ、吹出口２６の下方からユニット１４Ｃの近辺における室内２１に空気を送ることができるとともに、吹出口２６の上下方向中央から室内２１の遠方とユニット１４Ｃの近辺との間の室内２１中央に空気を送ることができる。
【００３９】
送風ユニット１４Ｃは、図２に示すように、風速のもっとも速い空気が高さ寸法の高い製造設備１９や事務設備１９の上方を越えて設備１９の裏側に達し（図２の矢印Ｌ１）、中間程度の風速の空気が高さ寸法の低い製造設備１９や事務設備１９の上方を越えて設備１９の裏側に達するから（図２の矢印Ｌ２）、それら設備１９によって室内２１における空気の流動が阻止されることはない。送風ユニット１４Ｃは、空気を室内２１全域に満遍なく行き渡らせることができ、室内２１における空気のよどみの発生を防ぐことができる。送風ユニット１４Ｃは、それを使用することで、図４に示すように、温度分布のムラのない快適な空調を構築することができる。この送風ユニット１４Ｃは、それの設置に天井内ダクト工事や天井仕上げ工事、保温工事等を行う必要がなく、ユニット１４Ｃを廉価に設置することができ、さらに、それを自由に移設することができるから、室内２１のレイアウト変更に応じて配置を容易に変えることができる。
【００４０】
図７は、送風ユニット１４Ｄの内部構造の他の一例を示すユニット１４Ｄの斜視図である。図７では、ダクト１５の図示を省略し、上下方向を矢印Ａ、横方向を矢印Ｂ示し、前後方向を矢印Ｃで示す。空調装置１０の機器収容ボックス１２や空調機を形成する各機器は図１のそれらと同一であり、室２１における設備１９の配置は図２，４のそれと同一であるから、図１，２，４を援用することで、それらの説明は省略する。以下、この送風ユニット１４Ｄが図３のユニット１４Ａと異なる点のみを説明する。
【００４１】
送風ユニット１４Ｄの空気流路２７には、空気の通過流量を調節可能な１枚の調節プレート４６（風速調節機構）が設置されている。調節プレート４６は、吹出口２６近傍に配置されて流路２７に固定されている。調節プレート４６には、それを通過する空気の流量を調節するための複数の空気流通孔４７が形成されている。空気流通孔４７の開口面積は、吹出口２６の下方から上方に向かって次第に大きくなっている。すなわち、吹出口２６の上方における調節プレート４６の空気流通孔４７の開口面積がもっとも大きく、吹出口２６の下方における調節プレート４６のそれがもっとも小さく、吹出口２６の上下方向中央における調節プレート４６のそれが中間の大きさである。ゆえに、吹出口２６の下方における調節プレート４６の空気抵抗がもっとも大きく、吹出口２６の上方における調節プレート４６の空気抵抗がもっとも小さい。吹出口２６の上下方向中央における調節プレート４６の空気抵抗は、吹出口２６の上方における調節プレート４６のそれよりも大きく、吹出口２６の下方における調節プレート４６のそれよりも小さい。このユニット１４Ｄでは、吹出口２６の上方における調節プレート４６の空気抵抗が小さいから、空気流路２７を通る空気の風速は吹出口２６の上方においてもっとも速く、吹出口２６の下方においてもっとも遅くなり、吹出口２６の上下方向中央において中間の速さとなる。なお、吹出口２６の下方における空気の風速の好ましい範囲は、図１の送風ユニット１４Ａのそれと同一である。
【００４２】
この送風ユニット１４Ｄは、空気流路２７に設置された調節プレート４６の空気抵抗が吹出口２６の下方から上方に向かって次第に小さくなるから、吹出口２６の上方から風速のもっとも速い空気が室内２１に放出され、吹出口２６の下方から風速のもっとも遅い空気が室内２１に放出されるとともに、吹出口２６の上下方向中央から中間程度の風速の空気が室内２１に放出される。この送風ユニット１４Ｄは、吹出口２６の上方から室内２１の遠方に空気を送ることができ、吹出口２６の下方からユニット１４Ｄの近辺における室内２１に空気を送ることができるとともに、吹出口２６の上下方向中央から室内２１の遠方とユニット１４Ｄの近辺との間の室内２１中央に空気を送ることができる。
【００４３】
送風ユニット１４Ｄは、図２に示すように、風速のもっとも速い空気が高さ寸法の高い製造設備１９や事務設備１９の上方を越えて設備１９の裏側に達し（図２の矢印Ｌ１）、中間程度の風速の空気が高さ寸法の低い製造設備１９や事務設備１９の上方を越えて設備１９の裏側に達するから（図２の矢印Ｌ２）、それら設備１９によって室内２１における空気の流動が阻止されることはない。送風ユニット１４Ｄは、空気を室内２１全域に満遍なく行き渡らせることができ、室内２１における空気のよどみの発生を防ぐことができる。送風ユニット１４Ｄは、それを使用することで、図４に示すように、温度分布のムラのない快適な空調を構築することができる。この送風ユニット１４Ｄは、それの設置に天井内ダクト工事や天井仕上げ工事、保温工事等を行う必要がなく、ユニット１４Ｄを廉価に設置することができ、さらに、それを自由に移設することができるから、室内２１のレイアウト変更に応じて配置を容易に変えることができる。
【００４４】
図８は、送風ユニット１４Ｅの内部構造の他の一例を示すユニット１４Ｅの側面図である。図８では、上下方向を矢印Ａで示し、前後方向を矢印Ｃで示す。空調装置１０の機器収容ボックス１２や空調機を形成する各機器は図１のそれらと同一であり、室２１における設備１９の配置は図２，４のそれと同一であるから、図１，２，４を援用することで、それらの説明は省略する。ただし、空調機を形成する各機器からは、エアフィルタが除かれる。以下、この送風ユニット１４Ｅが図３のユニット１４Ａと異なる点のみを説明する。
【００４５】
送風ユニット１４Ｅの空気流路２７には、上下方向へ並ぶ２枚の第１および第２仕切板２８，２９（風速調節機構）と、３つのモータダンパ３５，３６，３７（風速調節機構）と、エアフィルタ４８とが設置されている。それら仕切板２８，２９は、流入口２５から吹出口２６に向かって前後方向へ水平に延びている。空気流路２７は、仕切板２８，２９によって上下方向に並ぶ第１流路〜第３流路３０，３１，３２（第ｎ流路）に区分されている。第１流路３０は空気流路２７の上方に形成され、第２流路３１は空気流路２７の中央に形成され、第３流路３２は空気流路２７の下方に形成されている。第１〜第３流路３０，３１，３２における空気の入口部３３の面積および出口部３４の面積は同一である。ダンパ３５は第１流路３０の略中央に位置し、ダンパ３６は第２流路３１の略中央に位置し、ダンパ３７は第３流路３２の略中央に位置している。それらダンパ３５，３６，３７は、図５のそれらと同一であり、コントローラに接続されたモジュトロールモータ３８と、モータ３８の駆動力を介して旋回する旋回羽根３９とから形成されている。羽根３９の開度を調整することで、第１〜第３流路３０，３１，３２を通過する空気の流量を調節することができる。すべてのダンパ３５，３６，３７の羽根３９が流路３０，３１，３２に対して水平の場合、それら流路３０，３１，３２を通過する空気の流量は同一である。エアフィルタ４８は、空気流路２７における流入口２５近傍に設置されている。
【００４６】
この送風ユニット１４Ｅでは、第１〜第３流路３０，３１，３２を通過する空気の流量が第３流路３２から第１流路３０に向かって順に大きくなるようにモータダンパ３５，３６，３７の羽根３９の開度が調節されている。空調機から送風された空気は、ダクト１５を通って送風ユニット１４Ｂの流入口２５からエアフィルタ４８に流入して清浄された後、第１流路３０と第２流路３１と第３流路３２とに分流する。それらダンパ３５，３６，３７の羽根の旋回角度は、ダンパ３７の羽根３９のそれがもっとも大きく、ダンパ３５の羽根３９のそれがもっとも小さく、ダンパ３６の羽根３９のそれがダンパ３５とダンパ３７との羽根のそれの中間である。ゆえに、ダンパ３５の羽根３９によって規制される第１流路３０の開口面積がもっとも大きく、第１流路３０における空気の流量がもっとも多い。ダンパ３７の羽根３９によって規制される第３流路３２の開口面積がもっとも小さく、第３流路３２における空気の流量がもっとも少ない。第２流路３１における空気の流量は、第１流路３０における空気のそれよりも少なく、第３流路３２における空気のそれよりも多い。
【００４７】
このユニット１４Ｅでは、第１流路３０を通過する空気の流量がもっとも多いにもかかわらず、第１〜第３流路３０，３１，３２における空気の出口部３４の面積が同一であるから、それら流路３０，３１，３２から室内２１に放出される空気の風速は第１流路３０のそれがもっとも速く、第３流路３２のそれがもっとも遅くなり、第２流路３１のそれが第１および第３流路３０，３２のそれらの中間の速さとなる。第３流路３２における空気の風速を１とすると、第２流路３１における空気の風速が第３流路３２における空気のそれの２〜３倍、第１流路３０における空気の風速が第３流路３２における空気のそれの３〜５倍であることが好ましい。なお、第３流路３２における空気の風速の好ましい範囲は、図３の送風ユニット１４Ａのそれと同一である。
【００４８】
この送風ユニット１４Ｅは、第１〜第３流路３０，３１，３２を通過する空気の流量が第３流路３２から第１流路３０に向かって順に大きくなるから、吹出口２６の上方から風速の最も速い空気が室内２１に放出され、吹出口２６の下方から風速のもっとも遅い空気が室内２１に放出されるとともに、吹出口２６の上下方向中央から中間程度の風速の空気が室内２１に放出される。この送風ユニット１４Ｅは、吹出口２６の上方から室内２１の遠方に空気を送ることができ、吹出口２６の下方からユニット１４Ｅの近辺における室内２１に空気を送ることができるとともに、吹出口２６の上下方向中央から室内２１の遠方とユニット１４Ｅの近辺との間の室内２１中央に空気を送ることができる。
【００４９】
送風ユニット１４Ｅは、図２に示すように、風速のもっとも速い空気が高さ寸法の高い製造設備１９や事務設備１９の上方を越えて設備１９の裏側に達し（図２の矢印Ｌ１）、中間程度の風速の空気が高さ寸法の低い製造設備１９や事務設備１９の上方を越えて設備１９の裏側に達するから（図２の矢印Ｌ２）、それら設備１９によって室内２１における空気の流動が阻止されることはない。送風ユニット１４Ｅは、空気を室内２１全域に満遍なく行き渡らせることができ、室内２１における空気のよどみの発生を防ぐことができる。送風ユニット１４Ｅは、それを使用することで、図４に示すように、温度分布のムラのない快適な空調を構築することができる。この送風ユニット１４Ｅは、それの設置に天井内ダクト工事や天井仕上げ工事、保温工事等を行う必要がなく、ユニット１４Ｅを廉価に設置することができ、さらに、それを自由に移設することができるから、室内２１のレイアウト変更に応じて配置を容易に変えることができる。この送風ユニット１４Ｅは、それにエアフィルタ４８が設置されているから、ユニット１４Ｅにおいて空気清浄を行うことができる。
【００５０】
図９は、送風ユニット１４Ｆの内部構造の他の一例を示すユニット１４Ｆの側面である。図９では、ダクト１５の図示を省略し、上下方向を矢印Ａで示し、前後方向を矢印Ｃで示す。空調装置１０の機器収容ボックス１２や空調機を形成する各機器は図１のそれらと同一であり、室２１における設備１９の配置は図２，４のそれと同一であるから、図１，２，４を援用することで、それらの説明は省略する。ただし、空調機を形成する各機器からは、熱交換器とエアフィルタとが除かれる。以下、この送風ユニット１４Ｆが図３のユニット１４Ａと異なる点のみを説明する。
【００５１】
送風ユニット１４Ｆの空気流路２７には、上下方向へ並ぶ２枚の第１および第２仕切板２８，２９（風速調節機構）と、３つのモータダンパ３５，３６，３７（風速調節機構）と、熱交換器４９と、エアフィルタ４８とが設置されている。ダンパ３５，３６，３７とエアフィルタ４８と熱交換器４９とは、流入口２５から吹出口２６に向かって、熱交換器４９、エアフィルタ４８、ダンパ３５，３６，３７の順に並んでいる。熱交換器４９の下方には、ドレンパン５０が設置されている。
【００５２】
それら仕切板２８，２９は、流入口２５から吹出口２６に向かって前後方向へ水平に延びている。空気流路２７は、仕切板２８，２９によって上下方向に並ぶ第１流路〜第３流路３０，３１，３２（第ｎ流路）に区分されている。第１流路３０は空気流路２７の上方に形成され、第２流路３１は空気流路２７の中央に形成され、第３流路３２は空気流路２７の下方に形成されている。第１〜第３流路３０，３１，３２における空気の入口部３３の面積および出口部３４の面積は同一である。ダンパ３５は第１流路３０の略中央に位置し、ダンパ３６は第２流路３１の略中央に位置し、ダンパ３７は第３流路３２の略中央に位置している。それらダンパ３５，３６，３７は、図５のそれらと同一であり、コントローラに接続されたモジュトロールモータ３８と、モータ３８の駆動力を介して旋回する旋回羽根３９とから形成されている。羽根３９の開度を調整することで、第１〜第３流路３０，３１，３２を通過する空気の流量を調節することができる。すべてのダンパ３５，３６，３７の羽根３９が流路３０，３１，３２に対して水平の場合、それら流路３０，３１，３２を通過する空気の流量は同一である。
【００５３】
この送風ユニット１４Fでは、第１〜第３流路３０，３１，３２を通過する空気の流量が第３流路３２から第１流路３０に向かって順に大きくなるようにモータダンパ３５，３６，３７の羽根３９の開度が調節されている。空調機から送風された空気は、ダクト１５を通って送風ユニット１４Ｂの流入口２５から熱交換器に流入して温風または冷風となった後、エアフィルタ４８に流入して清浄され、その後、第１流路３０と第２流路３１と第３流路３２とに分流する。それらダンパ３５，３６，３７の羽根の旋回角度は、ダンパ３７の羽根３９のそれがもっとも大きく、ダンパ３５の羽根３９のそれがもっとも小さく、ダンパ３６の羽根３９のそれがダンパ３５とダンパ３７との羽根のそれの中間である。ゆえに、ダンパ３５の羽根３９によって規制される第１流路３０の開口面積がもっとも大きく、第１流路３０における空気の流量がもっとも多い。ダンパ３７の羽根３９によって規制される第３流路３２の開口面積がもっとも小さく、第３流路３２における空気の流量がもっとも少ない。第２流路３１における空気の流量は、第１流路３０における空気のそれよりも少なく、第３流路３２における空気のそれよりも多い。
【００５４】
このユニット１４Ｆでは、第１流路３０を通過する空気の流量がもっとも多いにもかかわらず、第１〜第３流路３０，３１，３２における空気の出口部３４の面積が同一であるから、それら流路３０，３１，３２から室内２１に放出される空気の風速は第１流路３０のそれがもっとも速く、第３流路３２のそれがもっとも遅くなり、第２流路３１のそれが第１および第３流路３０，３２のそれらの中間の速さとなる。第３流路３２における空気の風速を１とすると、第２流路３１における空気の風速が第３流路３２における空気のそれの２〜３倍、第１流路３０における空気の風速が第３流路３２における空気のそれの３〜５倍であることが好ましい。なお、第３流路３２における空気の風速の好ましい範囲は、図３の送風ユニット１４Ａのそれと同一である。
【００５５】
この送風ユニット１４Ｆは、第１〜第３流路３０，３１，３２を通過する空気の流量が第３流路３２から第１流路３０に向かって順に大きくなるから、吹出口２６の上方から風速の最も速い空気が室内２１に放出され、吹出口２６の下方から風速のもっとも遅い空気が室内２１に放出されるとともに、吹出口２６の上下方向中央から中間程度の風速の空気が室内２１に放出される。この送風ユニット１４Fは、吹出口２６の上方から室内２１の遠方に空気を送ることができ、吹出口２６の下方からユニット１４Ｆの近辺における室内２１に空気を送ることができるとともに、吹出口２６の上下方向中央から室内２１の遠方とユニット１４Ｆの近辺との間の室内２１中央に空気を送ることができる。
【００５６】
送風ユニット１４Ｆは、図２に示すように、風速のもっとも速い空気が高さ寸法の高い製造設備１９や事務設備１９の上方を越えて設備１９の裏側に達し（図２の矢印Ｌ１）、中間程度の風速の空気が高さ寸法の低い製造設備１９や事務設備１９の上方を越えて設備１９の裏側に達するから（図２の矢印Ｌ２）、それら設備１９によって室内２１における空気の流動が阻止されることはない。送風ユニット１４Ｆは、空気を室内２１全域に満遍なく行き渡らせることができ、室内２１における空気のよどみの発生を防ぐことができる。送風ユニット１４Ｆは、それを使用することで、図４に示すように、温度分布のムラのない快適な空調を構築することができる。この送風ユニット１４Ｆは、それの設置に天井内ダクト工事や天井仕上げ工事、保温工事等を行う必要がなく、ユニット１４Ｆを廉価に設置することができ、さらに、それを自由に移設することができるから、室内２１のレイアウト変更に応じて配置を容易に変えることができる。この送風ユニット１４Ｆは、それにエアフィルタ４８や熱交換器４９が設置されているから、ユニット１４Ｆにおいて温風や冷風を作ることができ、ユニット１４Ｆにおいて空気清浄を行うことができる。
【００５７】
図１０は、送風ユニット１４Gの内部構造の他の一例を示すユニット１４Ｇの側面である。図９では、ダクト１５の図示を省略し、上下方向を矢印Ａで示し、前後方向を矢印Ｃで示す。空調装置１０の機器収容ボックス１２や空調機を形成する各機器は図１のそれらと同一であり、室２１における設備１９の配置は図２，４のそれと同一であるから、図１，２，４を援用することで、それらの説明は省略する。ただし、空調機を形成する各機器からは、熱交換器とエアフィルタと送風機とが除かれる。以下、この送風ユニット１４Gが図３のユニット１４Ａと異なる点のみを説明する。
【００５８】
送風ユニット１４Gの空気流路２７には、上下方向へ並ぶ２枚の第１および第２仕切板２８，２９（風速調節機構）と、３つのモータダンパ３５，３６，３７（風速調節機構）と、熱交換器４９と、送風機５１と、エアフィルタ４８とが設置されている。ダンパ３５，３６，３７とエアフィルタ４８と熱交換器４９と送風機５１とは、流入口２５から吹出口２６に向かって、熱交換器４９、送風機５１、エアフィルタ４８、ダンパ３５，３６，３７の順に並んでいる。熱交換器４９の下方には、ドレンパン５０が設置されている。
【００５９】
それら仕切板２８，２９は、流入口２５から吹出口２６に向かって前後方向へ水平に延びている。空気流路２７は、仕切板２８，２９によって上下方向に並ぶ第１流路〜第３流路３０，３１，３２（第ｎ流路）に区分されている。第１流路３０は空気流路２７の上方に形成され、第２流路３１は空気流路２７の中央に形成され、第３流路３２は空気流路２７の下方に形成されている。第１〜第３流路３０，３１，３２における空気の入口部３３の面積および出口部３４の面積は同一である。ダンパ３５は第１流路３０の略中央に位置し、ダンパ３６は第２流路３１の略中央に位置し、ダンパ３７は第３流路３２の略中央に位置している。それらダンパ３５，３６，３７は、図５のそれらと同一であり、コントローラに接続されたモジュトロールモータ３８と、モータ３８の駆動力を介して旋回する旋回羽根３９とから形成されている。羽根３９の開度を調整することで、第１〜第３流路３０，３１，３２を通過する空気の流量を調節することができる。すべてのダンパ３５，３６，３７の羽根３９が流路３０，３１，３２に対して水平の場合、それら流路３０，３１，３２を通過する空気の流量は同一である。
【００６０】
この送風ユニット１４Gでは、第１〜第３流路３０，３１，３２を通過する空気の流量が第３流路３２から第１流路３０に向かって順に大きくなるようにモータダンパ３５，３６，３７の羽根３９の開度が調節されている。空調機から送風された空気は、ダクト１５を通って送風ユニット１４Ｂの流入口２５から熱交換器に流入して温風または冷風となった後、送風機５１によってエアフィルタ４８に送られ、エアフィルタ４８で清浄されて第１流路３０と第２流路３１と第３流路３２とに分流する。それらダンパ３５，３６，３７の羽根の旋回角度は、ダンパ３７の羽根３９のそれがもっとも大きく、ダンパ３５の羽根３９のそれがもっとも小さく、ダンパ３６の羽根３９のそれがダンパ３５とダンパ３７との羽根のそれの中間である。ゆえに、ダンパ３５の羽根３９によって規制される第１流路３０の開口面積がもっとも大きく、第１流路３０における空気の流量がもっとも多い。ダンパ３７の羽根３９によって規制される第３流路３２の開口面積がもっとも小さく、第３流路３２における空気の流量がもっとも少ない。第２流路３１における空気の流量は、第１流路３０における空気のそれよりも少なく、第３流路３２における空気のそれよりも多い。
【００６１】
このユニット１４Gでは、第１流路３０を通過する空気の流量がもっとも多いにもかかわらず、第１〜第３流路３０，３１，３２における空気の出口部３４の面積が同一であるから、それら流路３０，３１，３２から室内２１に放出される空気の風速は第１流路３０のそれがもっとも速く、第３流路３２のそれがもっとも遅くなり、第２流路３１のそれが第１および第３流路３０，３２のそれらの中間の速さとなる。第３流路３２における空気の風速を１とすると、第２流路３１における空気の風速が第３流路３２における空気のそれの２〜３倍、第１流路３０における空気の風速が第３流路３２における空気のそれの３〜５倍であることが好ましい。なお、第３流路３２における空気の風速の好ましい範囲は、図３の送風ユニット１４Ａのそれと同一である。
【００６２】
この送風ユニット１４Ｇは、第１〜第３流路３０，３１，３２を通過する空気の流量が第３流路３２から第１流路３０に向かって順に大きくなるから、吹出口２６の上方から風速の最も速い空気が室内２１に放出され、吹出口２６の下方から風速のもっとも遅い空気が室内２１に放出されるとともに、吹出口２６の上下方向中央から中間程度の風速の空気が室内２１に放出される。この送風ユニット１４Gは、吹出口２６の上方から室内２１の遠方に空気を送ることができ、吹出口２６の下方からユニット１４Gの近辺における室内２１に空気を送ることができるとともに、吹出口２６の上下方向中央から室内２１の遠方とユニット１４Gの近辺との間の室内２１中央に空気を送ることができる。
【００６３】
送風ユニット１４Gは、図２に示すように、風速のもっとも速い空気が高さ寸法の高い製造設備１９や事務設備１９の上方を越えて設備１９の裏側に達し（図２の矢印Ｌ１）、中間程度の風速の空気が高さ寸法の低い製造設備１９や事務設備１９の上方を越えて設備１９の裏側に達するから（図２の矢印Ｌ２）、それら設備１９によって室内２１における空気の流動が阻止されることはない。送風ユニット１４Gは、空気を室内２１全域に満遍なく行き渡らせることができ、室内２１における空気のよどみの発生を防ぐことができる。送風ユニット１４Ｆは、それを使用することで、図４に示すように、温度分布のムラのない快適な空調を構築することができる。この送風ユニット１４Gは、それの設置に天井内ダクト工事や天井仕上げ工事、保温工事等を行う必要がなく、ユニット１４Gを廉価に設置することができ、さらに、それを自由に移設することができるから、室内２１のレイアウト変更に応じて配置を容易に変えることができる。この送風ユニット１４Gは、それにエアフィルタ４８や熱交換器４９、送風機５１が設置されているから、ユニット１４Ｆにおいて温風や冷風を作り、温風や冷風を送風することができ、ユニット１４Ｆにおいて空気清浄を行うことができる。
【００６４】
それら図示の送風ユニット１４Ａ，１４Ｂ，１４Ｃ，１４Ｄは、それが機器収容ボックス１２の頂部１３に取り付けられているが、送風ユニット１４Ａ，１４Ｂ，１４Ｃ，１４Ｄのみが室内２１に設置され、空調装置本体が室外に施設されていてもよい。この場合は、送風ユニット１４Ａ，１４Ｂ，１４Ｃ，１４Ｄが室１１の壁１６，１７に上部に固定され、空調装置本体から延びるダクトにユニット１４Ａ，１４Ｂ，１４Ｃ，１４Ｄが連結される。また、図３，５，６に示す送風ユニット１４Ａ，１４Ｂ，１４Ｃは、空気流路２７が仕切板２８，２９によって第１〜第３流路３０，３１，３２に区分されているが、空気流路２７が１枚の仕切板によって第１〜第２流路に区分されていてもよく、空気流路２７が３枚以上の仕切板によって複数に区分されていてもよい。
【００６５】
送風ユニット１４Ｅ，１４Ｆ，１４Ｇでは、仕切板２８，２９とモータダンパ３５，３６，３７とから風速調節機構が形成されているが、ユニット１４Ａと同様に、仕切板２８，２９が風速調節機構を形成してもよく、ユニット１４Ｃと同様に、仕切板２８，２９とプレート４０，４１，４２とが風速調節機構を形成してもよく、ユニット１４Ｄと同様に、プレート４６が風速調節機構を形成してもよい。
【図面の簡単な説明】
【００６６】
【図１】一例として示す送風ユニットが設置された直吹床置き型空調装置の正面図。
【図２】図１の空調装置が配置された室の側面図。
【図３】送風ユニットの内部構造を示すユニットの側面図。
【図４】空調装置が配置された室の上面図。
【図５】他の一例の送風ユニットの内部構造を示すユニットの側面図。
【図６】他の一例の送風ユニットの内部構造を示すユニットの斜視図。
【図７】他の一例の送風ユニットの内部構造を示すユニットの斜視図。
【図８】他の一例の送風ユニットの内部構造を示すユニットの側面図。
【図９】他の一例の送風ユニットの内部構造を示すユニットの側面図。
【図１０】他の一例の送風ユニットの内部構造を示すユニットの側面図。
【符号の説明】
【００６７】
１０    空調装置
１１    室
１４Ａ〜１４Ｇ    送風ユニット
２１    室内
２５    流入口
２６    吹出口
２７    空気流路
２８    仕切板
２９    仕切板
３０    第１流路
３１    第２流路
３２    第３流路
３３    入口部
３４    出口部
３５    モータダンパ（ダンパ）
３６    モータダンパ（ダンパ）
３７    モータダンパ（ダンパ）
３９    旋回羽根
４０    調節プレート
４１    調節プレート
４２    調節プレート
４３    空気流通孔
４４    空気流通孔
４５    空気流通孔
４６    調節プレート
４７    空気流通孔
４８    エアフィルタ
４９    熱交換器
５１    送風機
【図１】
2007255763.tif 000003
【図２】
2007255763.tif 000004
【図３】
2007255763.tif 000005
【図４】
2007255763.tif 000006
【図５】
2007255763.tif 000007
【図６】
2007255763.tif 000008
【図７】
2007255763.tif 000009
【図８】
2007255763.tif 000010
【図９】
2007255763.tif 000011
【図１０】
2007255763.tif 000012